(57)【要約】【課題】  トイレ室を備えた建物ユニットの工場生産化率を向上し、現地施工効率の向上を図るとともに、床仕上材の加工作業性及び意匠性を向上すること。【解決手段】  建物ユニット１０のトイレ構造において、建物ユニット１０のトイレ室１５内の床下地１１Ａに床仕上材２０が敷設され、床下地１１Ａ及び床仕上材２０の所定位置に排水ソケット３０が取付けられ、便器４０の排水口が排水ソケット３０に接続されて該便器４０が床仕上材２０の上に設置され、トイレ室１５の出入口の戸枠５０が床仕上材２０勝ちの納まりで該出入口に配設されるもの。【選択図】  図８
2010275817.tif 000002
【特許請求の範囲】
【請求項１】
建物ユニットのトイレ構造において、
建物ユニットのトイレ室内の床下地に床仕上材が敷設され、
床下地及び床仕上材の所定位置に排水ソケットが取付けられ、
便器の排水口が排水ソケットに接続されて該便器が床仕上材の上に設置され、
トイレ室の出入口の戸枠が床仕上材勝ちの納まりで該出入口に配設されることを特徴とする建物ユニットのトイレ構造。
【請求項２】
前記床仕上材がトイレ室の床寸法に適合する矩形状の輪郭をなす請求項１に記載の建物ユニットのトイレ構造。
【請求項３】
前記床仕上材の敷設と、前記排水ソケットの取付けと、前記便器の設置と、前記戸枠の配設とが、予め工場でなされる請求項１又は２に記載の建物ユニットのトイレ構造。
【請求項４】
請求項１〜３のいずれかに記載の建物ユニットのトイレ構造の施工方法であって、
建物ユニットのトイレ室内の床下地に床仕上材を敷設し、
次に、床下地及び床仕上材の所定位置に排水ソケットを取付け、
次に、便器の排水口を排水ソケットに接続して該便器を床仕上材の上に設置し、
次に、トイレ室の出入口の戸枠を床仕上材勝ちの納まりで該出入口に配設する建物ユニットのトイレ構造の施工方法。
【請求項５】
請求項１〜３のいずれかに記載の建物ユニットのトイレ構造の施工方法であって、
建物ユニットのトイレ室内の床下地に床仕上材を敷設し、
次に、床下地及び床仕上材の所定位置に排水ソケットを取付け、
次に、便器の排水口を排水ソケットに接続して該便器を床仕上材の上に設置する建物ユニットのトイレ構造の施工方法。
【請求項６】
請求項１〜３のいずれかに記載の建物ユニットのトイレ構造の施工方法であって、
建物ユニットのトイレ室内の床下地に床仕上材を敷設し、
その後、トイレ室の出入口の戸枠を床仕上材勝ちの納まりで該出入口に配設する建物ユニットのトイレ構造の施工方法。
【発明の詳細な説明】
【技術分野】
【０００１】
本発明は建物ユニットのトイレ構造及び施工方法に関する。
【背景技術】
【０００２】
工場生産された建物ユニットを建築現場に輸送し、建築現場で複数の建物ユニットを組合せてユニット建物を構築するに際し、特許文献１に記載の如く、トイレ構造を備えた建物ユニットを用いる必要がある。
【０００３】
従来技術では、建物ユニットのトイレ室内の床、壁、天井の下地までを工場施工し、床、壁、天井の仕上材の敷設と便器の設置は現地施工している。
【先行技術文献】
【特許文献】
【０００４】
【特許文献１】特開2000-54497
【発明の概要】
【発明が解決しようとする課題】
【０００５】
従来技術には以下の問題点がある。
(1)建物ユニットのトイレ室内の床仕上材等を現地施工するものであるから、この床仕上材の所定位置に取付けられる排水ソケットの取付け、排水ソケットに接続される便器の設置等を現地施工せざるを得ず、工場生産化率を向上できない。
【０００６】
(2)上述(1)の床仕上材等の大工工事のタイミングと、排水ソケット及び便器の設置等の水道工事のタイミングを合せづらく、現地施工効率も悪い。
【０００７】
(3)上述(1)の床仕上材の大工工事では、トイレ室の出入口に設けられる戸枠のトイレ室内への出張り部に対し、床仕上材の外郭を凹状にして逃げるように加工する必要があり、床仕上材の加工作業性及び意匠性が悪い。この床仕上材の加工はトイレ室の出入口のバリエーションに応じて多様にならざるを得ない。
【０００８】
本発明の課題は、トイレ室を備えた建物ユニットの工場生産化率を向上し、現地施工効率の向上を図るとともに、床仕上材の加工作業性及び意匠性を向上することにある。
【課題を解決するための手段】
【０００９】
請求項１の発明は、建物ユニットのトイレ構造において、建物ユニットのトイレ室内の床下地に床仕上材が敷設され、床下地及び床仕上材の所定位置に排水ソケットが取付けられ、便器の排水口が排水ソケットに接続されて該便器が床仕上材の上に設置され、トイレ室の出入口の戸枠が床仕上材勝ちの納まりで該出入口に配設されるようにしたものである。
【００１０】
請求項２の発明は、請求項１の発明において更に、前記床仕上材がトイレ室の床寸法に適合する矩形状の輪郭をなすようにしたものである。
【００１１】
請求項３の発明は、請求項１又は２の発明において更に、前記床仕上材の敷設と、前記排水ソケットの取付けと、前記便器の設置と、前記戸枠の配設とが、予め工場でなされるようにしたものである。
【００１２】
請求項４の発明は、請求項１〜３のいずれかに記載の建物ユニットのトイレ構造の施工方法であって、建物ユニットのトイレ室内の床下地に床仕上材を敷設し、次に、床下地及び床仕上材の所定位置に排水ソケットを取付け、次に、便器の排水口を排水ソケットに接続して該便器を床仕上材の上に設置し、次に、トイレ室の出入口の戸枠を床仕上材勝ちの納まりで該出入口に配設するようにしたものである。
【００１３】
請求項５の発明は、請求項１〜３のいずれかに記載の建物ユニットのトイレ構造の施工方法であって、建物ユニットのトイレ室内の床下地に床仕上材を敷設し、次に、床下地及び床仕上材の所定位置に排水ソケットを取付け、次に、便器の排水口を排水ソケットに接続して該便器を床仕上材の上に設置するようにしたものである。
【００１４】
請求項６の発明は、請求項１〜３のいずれかに記載の建物ユニットのトイレ構造の施工方法であって、建物ユニットのトイレ室内の床下地に床仕上材を敷設し、その後、トイレ室の出入口の戸枠を床仕上材勝ちの納まりで該出入口に配設するようにしたものである。
【発明の効果】
【００１５】
（請求項１）
(a)トイレ室の出入口の戸枠が床仕上材勝ちの納まりで該出入口に配設される。従って、床仕上材の外郭を戸枠の下にて延在させることができ、床仕上材の外郭を戸枠のトイレ室内への出張り部に対して逃げるように凹状に加工する必要がなく、床仕上材の加工作業性及び意匠性を向上できる。
【００１６】
（請求項２）
(b)床仕上材がトイレ室の床寸法に適合する矩形状の輪郭をなすものとすることにより、上述(a)の床仕上材の加工作業性及び意匠性を確実に向上できる。
【００１７】
（請求項３）
(c)床仕上材の敷設と、排水ソケットの取付けと、便器の設置と、戸枠の配設とが、予め工場でなされるものとすることにより、トイレ室を備えた建物ユニットの工場生産化率を向上し、現地施工効率を向上することができる。
【００１８】
（請求項４、５）
(d)建物ユニットのトイレ室内の床下地に工場で先に床仕上材を敷設することにより、この床仕上材の所定位置に取付けられる排水ソケットの取付け、排水ソケットに接続される便器の設置を工場で施工できる。
【００１９】
（請求項４、６）
(e)建物ユニットのトイレ室内の床下地に床仕上材を敷設し、その後、トイレ室の出入口の戸枠を床仕上材勝ちの納まりで該出入口に配設することにより、床仕上材を戸枠のない出入口からトイレ室内に容易に搬入し、敷設できる。
【図面の簡単な説明】
【００２０】
【図１】図１は建物ユニットを示す平面図である。
【図２】図２は建物ユニットのトイレ室となる部分を示す平面図である。
【図３】図３は建物ユニットのトイレ構造における床仕上材の敷設状態を示す平面図である。
【図４】図４は床仕上材を示し、（Ａ）は本発明例を示す平面図、（Ｂ）は従来例を示す平面図である。
【図５】図５は建物ユニットのトイレ構造における床仕上材の孔加工状態を示す平面図である。
【図６】図６は建物ユニットのトイレ構造における排水ソケットの取付状態を示し、（Ａ）は平面図、（Ｂ）は断面図である。
【図７】図７は建物ユニットのトイレ構造における便器の設置状態を示し、（Ａ）は平面図、（Ｂ）は断面図である。
【図８】図８は建物ユニットのトイレ構造における戸枠の配設状態を示す平面図である。
【図９】図９は建物ユニットのトイレ構造における戸枠の配設状態を示す正面図である。
【図１０】図１０は戸枠の配設状態を示し、（Ａ）は斜視図、（Ｂ）は（Ａ）のB−B線に沿う断面図である。
【図１１】図１１は建物ユニットのトイレ構造における床下配管の接続状態を示す断面図である。
【発明を実施するための形態】
【００２１】
図１に示す建物ユニット１０は、工場生産された後、建築現場に輸送され、他の建物ユニットと組合わされてユニット建物を構築するものである。建物ユニット１０は、木質構造体又は鉄骨構造体からなり、床構造体１１の外縁に壁構造体１２を設け、壁構造体１２の上部に不図示の天井構造体又は天井面材を取付けて構成されたものである。
【００２２】
このとき、建物ユニット１０は、床構造体１１の外縁において直交する２つの壁構造体１２、１２と、それらの壁構造体１２の一方に直交する仕切壁パネル１３と、仕切壁パネル１３に直交する袖壁パネル１４とにより囲まれて区画されるトイレ室１５を有する。建物ユニット１０のトイレ室１５が備えるトイレ構造は、以下の施工手順により以下の如くに構成される。
【００２３】
尚、建物ユニット１０において、以下の(1)〜(4)は予め工場で施工され、(5)は現地で施工される。
【００２４】
(1)建物ユニット１０のトイレ室１５内の図２に示す床下地１１Ａ（床構造体１１の床下地１１Ａ）に、図３に示す如く、フローリング等の床仕上材２０を敷設する。床仕上材２０は、図４（Ａ）に示す如く、トイレ室１５の前述した２つの壁構造体１２、１２、仕切壁パネル１３、及び袖壁パネル１４により区画される床寸法に適合する矩形状の輪郭をなす。床仕上材２０は、床遮音材と合板と仕上材をパネル化する等にて構成できる。
【００２５】
床仕上材２０の所定位置に、図５に示す如く、排水ソケット３０の排水管３１を挿入するための孔２１が、床下地１１Ａへの敷設前又は敷設後に穿設される。
【００２６】
(2)床下地１１Ａ及び床仕上材２０の孔２１に、図６に示す如く、排水ソケット３０を取付ける。排水ソケット３０は、床仕上材２０の上に載置される外筒部３０Ａと、外筒部３０Ａの上部に設けられる上筒部３０Ｂと、外筒部３０Ａの内側に設けられる下筒部３０Ｃを有する。排水ソケット３０の下筒部３０Ｃに差し込まれる排水管３１が床下地１１Ａ及び床仕上材２０の孔２１に挿入されて床下に突出される。
【００２７】
(3)便器４０の排水口４１を、図７に示す如く、排水ソケット３０の上筒部３０Ｂ内に、パッキン（不図示）を介して接続し、該便器４０を床仕上材２０の上に設置する。
【００２８】
(4)トイレ室１５の前述した２つの壁構造体１２、１２のうちの１つの壁構造体１２と、袖壁パネル１４の間の出入口１５Ａの戸枠５０を、図８、図９に示す如く、床仕上材２０勝ちの納まりで該出入口１５Ａに配設する。
【００２９】
戸枠５０は、図１０に示す如く、２つの縦枠材５１、５１の上部に横枠組５２を架け渡した門型をなし、一方の縦枠材５１を壁構造体１２の木桟１２Ａにビス止めされ、他方の縦枠材５１を袖壁パネル１４の木桟１４Ａにビス止めされる。戸枠５０が床仕上材２０勝ちの納まりで配設されることにより、両縦枠材５１の下端部の下に床仕上材２０が延在するものになる（図８、図９）。
【００３０】
(5)上述(1)〜(4)により工場生産された建物ユニット１０を建築現場に輸送し、建築現場で他の建物ユニットと組合せてユニット建物を構築するに際し、建物ユニット１０の床下に設けられる床下配管６０が、前述(2)で建物ユニット１０の床下に突出されている排水ソケット３０の排水管３１に継手６１を介して接続される。
【００３１】
また、建物ユニット１０にあっては、トイレ室１５以外の床下地１１Ａに対する床仕上材の敷設を現地施工される。壁や天井のクロス等の仕上材の敷設も現地施工される。
【００３２】
尚、建物ユニット１０の上述したトイレ構造の施工手順のうち、上述(4)の戸枠５０の配設工程は、上述(1)の床仕上材２０の敷設工程の後工程であれば、上述(2)の排水ソケット３０の取付工程、及び上述(3)の便器４０の設置工程の前工程でなされても良い。
【００３３】
本実施例によれば以下の作用効果を奏する。
(a)トイレ室１５の出入口１５Ａの戸枠５０が床仕上材２０勝ちの納まりで該出入口１５Ａに配設される。従って、床仕上材２０の外郭を戸枠５０の下にて延在させることができ、床仕上材２０の外郭を図４（Ａ）に示す如く、戸枠５０のトイレ室１５内への出張り部に対して逃げるように凹状に加工する必要がなく、床仕上材２０の加工作業性及び意匠性を向上できる。図４（Ｂ）は戸枠５０勝ちの納まりとした場合、床仕上材２０の外郭が戸枠５０の縦枠材５１、５１の出張り部に対し逃げるように加工された凹部２０Ａ、２０Ｂを示すものである。
【００３４】
(b)床仕上材２０がトイレ室１５の床寸法に適合する矩形状の輪郭をなすものとすることにより、上述(a)の床仕上材２０の加工作業性及び意匠性を確実に向上できる。
【００３５】
(c)床仕上材２０の敷設と、排水ソケット３０の取付けと、便器４０の設置と、戸枠５０の配設とが、予め工場でなされるものとすることにより、トイレ室１５を備えた建物ユニット１０の工場生産化率を向上し、現地施工効率を向上することができる。
【００３６】
(d)建物ユニット１０のトイレ室１５内の床下地１１Ａに工場で先に床仕上材２０を敷設することにより、この床仕上材２０の所定位置に取付けられる排水ソケット３０の取付け、排水ソケット３０に接続される便器４０の設置を工場で施工できる。
【００３７】
(e)建物ユニット１０のトイレ室１５内の床下地１１Ａに床仕上材２０を敷設し、その後、トイレ室１５の出入口１５Ａの戸枠５０を床仕上材２０勝ちの納まりで該出入口１５Ａに配設することにより、床仕上材２０を戸枠５０のない出入口１５Ａからトイレ室１５内に容易に搬入し、敷設できる。
【００３８】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００３９】
本発明は、建物ユニットのトイレ構造において、建物ユニットのトイレ室内の床下地に床仕上材が敷設され、床下地及び床仕上材の所定位置に排水ソケットが取付けられ、便器の排水口が排水ソケットに接続されて該便器が床仕上材の上に設置され、トイレ室の出入口の戸枠が床仕上材勝ちの納まりで該出入口に配設されるものにした。そして、前記床仕上材の敷設と、前記排水ソケットの取付けと、前記便器の設置と、前記戸枠の配設とが、予め工場でなされるものにした。従って、トイレ室を備えた建物ユニットの工場生産化率を向上し、現地施工効率の向上を図るとともに、床仕上材の加工作業性及び意匠性を向上することができる。
【符号の説明】
【００４０】
１０  建物ユニット
１１Ａ  床下地
１５  トイレ室
１５Ａ  出入口
２０  床仕上材
２１  孔
３０  排水ソケット
３１  排水管
４０  便器
４１  排水口
５０  戸枠
５１  縦枠材
【図１】
2010275817.tif 000003
【図２】
2010275817.tif 000004
【図３】
2010275817.tif 000005
【図４】
2010275817.tif 000006
【図５】
2010275817.tif 000007
【図６】
2010275817.tif 000008
【図７】
2010275817.tif 000009
【図８】
2010275817.tif 000010
【図９】
2010275817.tif 000011
【図１０】
2010275817.tif 000012
【図１１】
2010275817.tif 000013